(57)【要約】      （修正有）【課題】多数の人達が速やかに安全に避難可能な居住空間で、如何なる高水位の大津波が襲来しても人身人命を守り安全に避難出来る浮体建築物を提供する。【解決手段】高潮水害の発生しやすい臨海地域に基礎を構築し、その上へ台船型浮体１を単に載せ置く構成とし台船型浮体には船底部に鉛直下方に向けてアンカーポール２を突出すると共に、基礎表面にそのアンカーポールが挿入されるポール穴３を穿孔し、ポール穴にアンカーポールを挿入状態で基礎上に浮体を載せ置き、高潮浸水時に浮体１がアンカー装置とポール穴のアンカー作用により流水に流されることなく鉛直上方に浮上するように構成した浮体建築物を提供する。【選択図】図１
0003110611.tif 000002
【実用新案登録請求の範囲】
【請求項１】
津波や台風及び河川氾濫等の高潮水難に対し、人身人命及び動産を守る浮体構造の台船型建築物で浮体上に人が居住するように構成し、以下１ないし３の条件を具備したことを特徴とする浮体建築物。
１，浮体と一体的に装備され浮体底部から鉛直下方に突出するアンカーポールと、浮体の空中重量を支えアンカーポールが挿入されるポール穴が穿孔された基礎よりなる。
２．基礎の上へ浮体を載せ置くと共に前記ポール穴に前記アンカーポールを挿入する。
３，浸水状態となった時浮体は浮上するが、アンカーポールとポール穴が接触固定され浮体の流水による流動を阻止するように構成した。
【請求項２】
前記アンカーポールが浮体と一体の鞘部材と鞘部材の中に挿入され、鉛直方向に鞘部材の中を摺動スライドする様に構成したことを特徴とする請求項１の浮体建築物。
【請求項３】
前記基礎が側壁と底面を備える容器構造で、その底面に浮体を載せ置くと共に前記ポール穴をその底面に穿孔するように構成したことを特徴とする請求項１の浮体建築物。
【考案の詳細な説明】
【技術分野】
【０００１】
この考案は大地震による大津波や台風高潮又は集中豪雨による洪水等の水害から、人身人命及び貴重な財産を守護し人が安全に居住する浮体建築物に関する。  
【背景技術】
【０００２】
平成１６年１２月２６日マレーシア沖に発生した海底大地震により、インド洋沿岸諸国海岸地域に大津波による大水害が発生し、情報の伝達が遅れたこともあり過去未曾有の十数万人の死者が出た。
在来海岸地域に津波被害に対する避難設備は無く、小山や高層建築物の上階部に避難する以外に方法は無かった。
津波被害に対して現在関係諸国政府や自治体は、大地震の発生予報と津波が発生した場合如何に速やかにそれを検知する検知手段の開発と、多くの国民に伝達する伝達方法の構築に傾注している。
如何に早く小山や高層建築物に逃避することが被害を少なく食い止める方法である。
しかし小山や高層建築物が無い平野部の多い田園地帯や、又あっても時間距離が離れて速やかな避難の困難な臨海地帯は極めて多い。
津波発生の情報伝達通信手段の構築と共に、津波に遭遇した場合の避難する手段としての装置や設備の完備も極めて重要な課題である。
また年間数度も来襲する台風高潮や集中豪雨による河川氾濫による被害も、低地に居住する人達は高潮浸水や氾濫冠水により例年莫大な損害を蒙っている。
【０００３】
我が国においても近い将来南海地震や東南海地震が発生する可能性が高いことから、鉄骨構造十数メートルのタワー型避難台の提案がなされている。
【特許文献１】特開２００４−３３９９２０    しかしながら老若男女多数の人たちが短時間の内に階段を使って、十数メートル高所の避難台に登ることが出来るかどうかの疑問もあり、又津波の高さがタワーの高さ十数メートル以内であるかどうかの保証も無いので未だ普及の段階には至っていない。
【考案の開示】
【考案が解決しようとする課題】
【０００４】
本考案は避難に際して十数メートもの高所に登ることなく、平地に設備した避難建築物に入るだけで難を逃れることが出来る水難対策浮体建築物を提供することを課題とする。（浮体建築物を以下浮体と省略する。）
また本考案の津波に対する建築物の使用頻度は極めてゼロに近く、津波避難建築物として使用することは極めて稀であるので、避難用以外に多目的に使用出来る浮体建築物を提供することを課題とする。
【０００５】
また本考案は津波対策として使用する建築物は十数メートル以上たとえば百メートル以上の如何なる高水位の津波にも、人命救助に対応出来る建築物を提供することを課題とする。
また更に津波はおろかたびたび襲来する高潮水害や河川氾濫冠水にも、浸水冠水の危険が全くない一般建築物や居住用住宅を提供することを課題とする。
【課題を解決するための手段】
【０００６】
津波や台風及び河川氾濫等の高潮水難に対し、人身人命及び動産を守る台船型構造の浮体建築物で浮体上に人が居住するように構成し、以下１ないし３の条件を具備したことを特徴とする浮体建築物。
１，浮体と一体的に装備され浮体底部から鉛直下方に突出するアンカーポールと、浮体の空中重量を支えアンカーポールが挿入されるポール穴が穿孔された基礎よりなる。
２．基礎の上へ浮体を載せ置くと共にポール穴にアンカーポールを挿入する。
３，浸水状態となった時浮体は浮上するが、アンカーポールとポール穴が接触固定され浮体の流水による流動を阻止するように構成した。
津波や台風及び河川氾濫等の水難に対し人身人命及び動産を守る避難用浮体の装備であって、水難情報により上記浮体上に避難者が乗船して避難する様に構成する。
また台風高潮や河川氾濫等で冠水する頻度の高い水難に対応し、安全な一般建築物や居住用住宅空間を提供する浮体建築物を提供する。
【０００７】
本考案は必要な建設場所にコンクリートにより強固な基礎を構築し、その上へ台船構造の浮体である建築物を単に載せ置いたものである。
その浮体には浮体の底部から突出するアンカーポールを設け、基礎にはそのアンカーポールが挿入される様に上部表面にアンカー穴を穿孔してある。
津波や台風高潮又は集中豪雨による河川堤防氾濫等の高水位が発生し、水位が浮体の喫水線以上になれば浮体は浮上する方向に水面から浮力を受ける。
水面の上昇と共に浮体は浮上するが、浮体から下方に突出したアンカーポールと基礎のポール穴の側壁部が接触固定され、浮体は潮流に水平方向の力を受けるが流されることなく真上方向に浮上する。
【０００８】
津波は第一波が到来して水位が上昇し、次に急激な引き潮となり陸上部の破壊した器物等を海へ引き去り、また次に第二第三の高潮が到来することが多い。
高潮の高さがアンカーポールの長さ以内であれば、浮体は流されることなく水位と共に上下動するのみで安全に浮体上の人命や動産は守られる。
水位が更に上昇し浮体が浮上しアンカーポール下端部がポール穴から抜け出ると、アンカーポールとポール穴で構成されるアンカー装置がアンカー作用しなくなり、浮体は潮流や氾濫水に流される状態となる。
浮体はアンカーポールを吊り下げた状態でフリーとなり、流れのままに翻弄されるが転覆沈没することはなく、浮体上の人命は救われる可能性が高い。
【考案の効果】
【０００９】
最近提案されている前述の津波の避難装置は、高さ十数メートルの鉄骨構造のタワーで頂上部に十メートル四方程度の手摺り付きの避難台と昇降用階段を設けたものである。
津波情報を受けて速やかに１００人以上の多数の人たちが、十数メートルもの階段を上ることは、非常に困難を伴うものであり相当な時間を要する。  
本考案の浮体型建築物は浮体が浮上するための条件即ちアルキメデスの定理により、水面上に浮上した船体は船体底部の喫水線以下の容積の水の重さに等しい浮力を受ける。
（陸上に建設する建築物であるが浸水時は水上に浮かぶ船舶となり、説明が理解しやすいように以下甲板等の船舶用語も使用する。）
【００１０】
避難用浮体は大勢の人を甲板上に避難させるため、甲板上の面積が広く必要で台船型浮体の構造上の特徴で甲板とほぼ等しい船底部面積があり、必要な浮力を得るために喫水が浅く極めて高さの低い平板状船体構造で充足する。
従って浮体上に避難する場合浮体の高さが極めて低く、浮体の前後側面にも昇降通路が配置可能で、階段昇降する場合に多数の人が並列して同時に乗り込むことが可能である。
更に本考案は基礎を側壁と底面を備える容器構造とし、容器状基礎を地面より下に埋設しその底面の高さを地面より下に下げたので、その底面の上へ浮体を載せ置く構造であり、浮体の甲板の高さが地面ＧＬと同一及び自由に設定出来るので階段などで高所へ登る必要がない。
従って前述のタワー型避難台に比べて短時間の内に多数の人員の避難が可能である。
【００１１】
更にこの避難用浮体の使用頻度は数十年ないし数百年に一度あるかないかの程度であり、このためには津波や台風高潮の避難のためだけでなく、常時は避難以外の用途に使用出来る多目的設備であることが望ましく土地と設備の有効利用が計られる。
即ち本台船浮体を設置して一定面積の土地を占用しても、台船浮体は地面より下に入り台船浮体の入る容器型基礎の平面積だけ専用することになる。
また甲板上から船体内部船穀内への通路を設け、地下室として甲板下の容積を有効利用することも出来る。
その台船型浮体の上へ殆どの建築物例えば、集会場・ホテル・レストラン・幼稚園・学校・居住用住宅等まで建築装備可能で安全極まりない住居も提供出来る。
【００１２】
津波避難に使用する場合、急激な海水水位が上昇すると共に海から陸上方向に早い流速での潮流が発生しても、鉄筋コンクリートによる基礎に穿孔されたポール穴と、アンカーポールによるアンカー装置によって浮体は固定され潮流に流されることはない。
水位が上昇することにより、浮体は海水からの浮力を受けて浮上するがアンカー装置のアンカー作用により流されること無く鉛直上方に上昇する。  
【００１３】
津波等の高潮水害では海から陸上部へ流れ込んだ水は、次に急激な引き潮となって陸上部から海へ流下する。この場合も浮体はアンカー装置によって水平方向への移動が阻止されて、水面の降下と共に浮体自体が鉛直下方へ降下して洋上に流されることなく元の位置に元の状態に復帰され甲板上の人身が守られる。
【００１４】
津波の水面が極めて高くアンカーポールが基礎のアンカー穴から引き抜かれて外れた場合は、浮体はフリーとなって海水の移動と共に翻弄される。
しかしこの場合も陸上の大型構築物等に衝突破損しない限り浮体は沈没することはなく、その限り乗船している人身人命は守られる。
【００１５】
また本考案は本考案者が先願にて出願した特願２００５−１３７「水難避難台船」や特願２００５−４０６５「水難避難台船型船舶」の改良に関するもので、利用範囲を拡大し制約を少なくすると共により具体的実用的にメインテナンスを考慮して創作したものである。
【００１６】
先願二件は緊急な津波避難対策用として思考し、アンカーポールを地中に打ち込むか埋設する構造のみに構成していたので、実用的には施工上多少問題があった。
本考案は具体的施工方法を考慮し、浮体の空中重量を支える強度を具備した鉄筋コンクリート等の基礎上に浮体を置くと共に、その基礎上面に穿孔したポール穴へアンカーポールを挿入してアンカー作用するように構成した。
また本考案はその基礎をプール状容器型とし、地面ＧＬに埋設することにより浮体の甲板の高さを地面と同一平面または自由に設定出来ることに成功した。
【考案を実施するための最良の形態】
【００１７】
以下本考案の実施例を図面に基づいて説明する。ただし、以下に示す実施例は、本考案の技術思想を具体化するための一態様を例示するものであって、本考案は実施例のものだけに特定しない。
【実施例】
【００１８】
図１は津波避難用浮体（１）設置時の構成を示すもので、上図は側断面図で下図は平面図であり浮体（１）の幅Ｗ及び長さＬ寸法が深さＤより大なる平板状直方体の台船型で、鉄鋼板により密閉中空状に建造されている。
浮体（１）の向かって右側に浮体（１）と一体的に、鋼鉄管にてなる２本のアンカーポール（２）が立設されている。
アンカーポール（２）には浮力はなく、浮体（１）と一体の鞘部材（４）と鞘部材の中を鉛直方向に長尺のアンカーポール（２）が挿入されている。
浮体（１）の下方は浮体の空中重量を支える鉄筋コンクリートによる基礎（８）で、地面ＧＬとほぼ同一平面となるよう地面に埋設され、上部表面に一段高い台座（６）を形成しその台座の上に浮体が単に置かれている。
【００１９】
台座（６）と台座の間に導水路（７）が形成され、浮体の底面はその部分では基礎と直接接触していない。図示しないが導水路は浮体の長さ方向と平行な方向にも延長形成されている。
浮体（１）の向かって右側端部は、先端に向かって垂直断面積が小となる様に船首部（５）が形成されている。  
右側の台座にはアンカーポール外径より若干大なるポール穴（３）が穿孔され、そのポール穴にアンカーポール下端部が挿入されている。
浮体には左端部に階段形式の昇降路（１０）と甲板（１５）上に避難者を収容する屋上に手摺りを設けたハウジング（９）が形成されている。
【００２０】
津波や高潮により浸水が始まると、海水は導水路（７）を通り浮体底部全体に水がまわり水位が上昇する。
水位の上昇により浮体（１）には浮力が掛かり浮上上昇するが、アンカーポール（２）が基礎（８）台座（６）のポール穴（３）に挿入されているため、浸水の流速で浮体（１）が流されることはない。
図２に示すように水位の上昇と共に浮体（１）は大きな浮力を受けて、水位Ａ（１７）では下図実線の如く水位Ｂ（１８）では上図点線の様に示すように、浮体（１）に取り付けられた鞘部材（４）がアンカーポール（２）と摺動スライドしながら浮上する。
【００２１】
津波は一旦来襲しても次に急激な引き潮となり、二度三度と満ち引きを繰り返すものであり、浮体（１）はそのたび水位の変化により上昇降下を繰り返す。
その流速により浮体（１）は右から左方向へ大きな水平方向の力を受けるが、アンカーポール（２）と基礎ポール穴（３）と当接するアンカー作用により流されることはない。
その作用は図４に示すように浮体と一体の鞘部材（４）は流速により矢印の如く右から左方向に力が作用し、アンカーポールを左方向へ押すがアンカーポール下端部はポール穴左側壁を押すこととなり、地面と一体の基礎（８）がその力を支えることとなる。
【００２２】
更に増水して水位が上昇しアンカーポール（２）上端のストッパ（１４）と鞘部材（４）上端のレセプタ１３が当接すると、浮体（１）の大きな浮力によりアンカーポール（２）はポール穴（３）から引き抜かれる。
浮体（１）はアンカーポール（２）を吊り下げた状態で流れのままに翻弄されるが、転覆しにくい平板状の台船型構造であり浮体（１）が破損し、浸水しない限り沈没することはなく浮体上の避難人員の生命は守られる。
また浮体が若干破損しても浮体内への浸水はスピードが遅く、排水ポンプ等で排水が可能でありまた津波や高潮では数時間以内で終わるので上記問題は発生しない可能性が大である。
【００２３】
また図３に示すように吊り下げたアンカーポール（２）に構築物（１２）等が接触すると、その構築物に左右２本のアンカーポールが同時に当たった場合はそれ以上流されないようアンカー作用が働く。
二本の内一方しか当たらない場合は、当たった方のアンカーポールを中心に一部旋回しそのまま釣り合って停止する。
【００２４】
津波は湾内など地勢により極めて高く衝撃の大きな波が来襲することがある。
湾内左右の岬に上陸してその反射波の山と山が重なり、高潮波となった場合であり異常に高い波の山は急勾配となり高速で陸部に向かい、図２に示すように衝撃波（１６）となって押し寄せる。
この衝撃波は浸水の第一波であり浮体は設置状態の位置でこの衝撃波を受ける。
水位上昇と共に浮体と一体の鞘部材が上昇しアンカーポールに作用する位置が変化する。
即ち図２の水位Ａ（１７）では鞘部材Ｈ１の位置に作用し、水位Ｂ（１８）ではＨ２の位置に作用する。
【００２５】
極めて都合の良いことには、衝撃波が来襲するのはアンカーポールの根元部に力が作用し、水位上昇と共にアンカーポールの上の方に作用点が上昇する。  
テコの作用でアンカーポールは作用点Ｈ１が最も小さいとき衝撃波を受けてそれに耐え易いが、Ｈ２の如く作用点が上昇するほどアンカーポールを曲げる力とポール穴を破壊する力が大となる。
しかし水位の上昇と共に通常潮流の流れは緩やかとなり、水位が最高位となれば次に下降に転ずる。
図２において水位が上昇及び下降するたびに、アンカーポールと鞘部材は摺動スライドしながら、浮体は上下動するが最後に潮が引けば元の位置に安置される。
【００２６】
図３においてアンカーポールを吊り下げたまま潮流に翻弄されるが、最後に構築物等の障害物のない平らな場所で浸水が終われば、アンカーポール底部がその地面に着地し次に浮体底部も水平状態で安置される。
もしこの浸水終了場所が建家等の構築物（１２）があり、その上へ浮体の一部が乗り上げた状態で潮が引いた場合は、図５に示すように浮体底部の構築物（１２）に当接した部分が支点（２３）となり図では右に回動する。
この場合アンカーポール下端部が地面に矢印方向に差し込まれる状態となるが、地面の質により地面が堅ければ鞘部材とアンカーポールの摩擦でそのまま停止するので浮体は転倒転落しない。
【００２７】
図６で浮体の側面に通常出入りする出入り口を設けた実施例を説明する。
前実施例は浮体に乗船するにはそれほど高くはないが、浮体の甲板まで階段を上らねばならない問題があった。
浮体を多目的に使用する場合にはこれでは不都合があるので、本実施例は通常使用する場合は一階部の浮体内を使用して、緊急時のみ一階の浮体出入り口を水密扉により閉止し浮体としての機能を持たせるようにした。
図６上図は平面図で浮体の右端部に水密ドア（２１）があり、高潮予報により図示しないが内側から水密に閉止する。出入り口正面に二階への昇降階段（２２）があり、浮体外部にも外階段（２２）が設けてあり緊急時はこの外階段を使用する。
下図は水密ドアー側から見た正面の側面図で、アンカーポールの位置での断面を記入してある。
【００２８】
このアンカー装置（２０）は浮体内と一部下方へ突出すると共に、下方へ向かってアンカーポールが伸縮する構成となっている。
即ち鞘部材（４）は下端部が内径が細くなるレセプタ（１３）とし、アンカーポール上端部は外径を太く形成してストッパ（１４）とすると共に、アンカーポール下降時にストッパがレセプタに当接してそれ以上アンカーポールが下降しないように構成したものである。
浸水時の作用は前実施例と同様に、図示しないが水位の上昇と共に浮体は浮上するがアンカーポールが下方に伸張し、ポール穴に当接して浮体の水平方向への流れを阻止する。
【００２９】
図７にアンカーポールの他の実施例を説明する。このアンカーポールは浮体内に大部分収納されて伸縮する部分が２段になっており前実施例より更に長く伸張する。
図７左図は浮体が浮上しない縮小状態で、鞘部材（４）の中に中鞘（２５）とその中鞘の中に先端ポール（２６）が収納されている。
中央図は浮体が浮上し始めた状態で中鞘が下降し鞘部材下端部の内径が小となっているレセプタ（１３）と中鞘上端部の外径が大となっているストッパ（１４）が当接して中鞘が下降終点に達している。
右図は中鞘及び先端ポール共に下降終点に近く、アンカーポールの伸張終点状態を示す。
【００３０】
図７の実施例の作図では理解しやすい様に使用する鋼管材を極めて肉厚のものとして記入してあるが、現実にはアンカーポールは直径が３００ミリないし千数百ミリの大口径のものが使用され、嵌め合い公差が大きく馬鹿穴としてもカーアンテナやカメラ撮影の伸縮脚の様に三段ないし五段伸縮のものも製作可能である。
【００３１】
図８上図は側面断面図で下図はプール型基礎の台座（６）の断面を示す平面図である。
本実施例は基礎（８）上面が低く外周部の四方側面に側壁（２８）を設けた容器形状で、その中へ浮体を収容するように構成してある。
（この基礎構造はプールに似ており以下プール型基礎または単にプールと呼称する。）
このプール型基礎を採用すれば地面ＧＬラインより甲板（１５）高さＤを自由に設定出来る。
即ち浮体の高さＨに対しプールの深さＰをいくらに設定するかで甲板高さＤが決定する。（Ｄ＝Ｈ−Ｐ）
また本実施例では前述の伸縮型アンカーポールを採用し、浮体内部に大部分を収容している。右側側壁（２８）と浮体（１）の間は高潮浸水がプール内へ流入する開口部（４０）で上方開口面に簀の子（３１）を敷設してある。
ハウジング（９）一階部室内に浮体内部に向けてマンホール（３０）を設け、浮体内地下室に昇降階段と緊急用の飲料水タンク（２９）を設けてある。
【００３２】
プール型基礎（２７）右端部開口部（４０）に流入した浸水はプール（４１）底部の台座（６）と台座の間の導水路（７）を通ってプール全体に浸水する。
導水路（７）を設けたのは浮体（１）底部とプール（４１）の底が、数十年以上も経過し化学変化等の経年変化を起こして固着することを考慮したためである。
浸水が浮体（１）の底部まで行き渡らないと浮体は浮上しないし、その浮上までの時間が遅れると甲板上に海水があふれる等の異常な事態を引き起こすおそれがあるからである。
【００３３】
図９ないし図１０に一般居住用居宅についての実施例を詳述する。
図９は中空浮体（１）の上へ一般居宅（３７）を建てた実施例で、伸縮自在のアンカー装置（２０）を、左右に二本奥行き方向に二本合計四本を浮体（１）深さ寸法に合わせて浮体（１）甲板下に収納設置してある。
プール（４１）右側にはプール内へ給排水する水槽（３２）とポンプ（３３）及び四方切替弁（３４）と配管が装備されている。この給排水装置は浮体（１）を浮かせて試験することと浮体のメインテナンスに使用するものである。
浮体（１）の上へ住宅等を建設する場合万一浸水により浮上し、重量バランスが一方に偏り浮体（１）が傾くことが無いように重量バランスを考慮して設計しなければならない。
【００３４】
建設後この装置を使用して浮上時のバランスを実験することが出来る。
水槽（３２）の給排水管（３６）を介して四方切替弁（３４）からポンプ（３３）吸入口吐出口次に四方切替弁（３４）を介してプール（４１）に給水される。
図１０は所定の給水が終了した状態でアンカーポール（２）の中鞘が伸張している。完全に浮体（１）が浮上した状態で喫水線が計画通りであるか、また室内に入り前後左右のバランスの測定が出来る。
【００３５】
次に四方切替弁を点線の方向に切り替えると、アンカーポール（２）とポール穴のアンカー作用で浮体は水平移動することなく固定されているので、プールの水は水槽（３２）へ排水され水面（１１）が降下し元の台座（６）の上へ正確に安置される。
【００３６】
浮体（１）の底部は海水に浸かった船で無く常に陸上大気中であり、錆等の経年変化は少ないが十年ないし数十年に一度はメインテナンスが必要である。
この場合先述の様にプール（４１）に給水し浮体（１）を浮かせてその状態で強固な架台（３９）を水中作業で挿入し敷設すると共にプールから排水し、架台の上へ仮設置して浮体（１）底部の塗装その他メインテナンス作業をする。
架台（３９）の位置の変更は油圧ジャッキ（３８）を据えて一部を持ち上げ、架台の加重をのぞいて移動し別の場所で油圧ジャッキ（３８）を下げることでも可能である。
上記のプールへの給水テストにより居住者は、万一水害による冠水があっても確実に浮体が浮上し安心して暮らす自信がつき快適な生活が出来る。
【００３７】
図１１は一般住宅での実施例でプール（４１）型基礎の上へ浮体を載せ、浮体の上へアンカーボールトにて連結した居宅を栽置している。
浮体の外側四方のプール側壁（２８）との間の間隙は上方が開口しているので、降雨による雨水が流れ込みプール内へは次第に雨水で水位が上昇してくる。
本実施例ではプール底部の導水路（７）を常時は排水路（４３）として利用し、右側の最も低い位置に雨水溜（４４）を形成し導水路排水路は雨水溜に向かって下り勾配の流水路を形成してある。
雨水溜に溜まった雨水は排水ポンプ（４２）により自動的に外部下水口に排水されるように構成してある。
また浮体内には浄化槽（４５）を設置し、自動的に外部排水溝（４６）に排出される。
【００３８】
図１２ないし図１４に体育館や集会場等の比較的大型建築物についての実施例を記述する。
図１２上図は建築物の外観立体図で、中央図は上図建築物の平面と同一の平面甲板の浮体であり、下図は浮体より若干広く浮体が内法寸法に収容出来る平面積のプール型基礎である。
図１３は前記建築物の正面からのアンカー装置部の側断面図であり、図１４はその建築物に浸水し浮上した状態を示す。
図１２では図示しないが浮体と建築物はアンカーボールトにて強固に一体に連結されており、その浮体の底部からアンカー装置のアンカーポール（２）が矢印の如くプール型基礎（８）のポール穴（３）に挿入される。
【００３９】
上図のフロアレベル（４７）は建築物内部の床面のレベルであり、下図のＧＬレベル（４８）は地面レベルでありこの基礎側壁の上端は地面と同一平面になっている。
浮体の深さＨは建築物と浮体の総重量と計画喫水線との勘案によって決定され、Ｈが決まれば建築物床面の高さをＧＬレベルからいくら高くするかはプールの台座面の深さＤによって決定される。
津波や高潮浸水水害は常に起こるものではなく、数年ないし数十年に一度でありこの種建築物は多目的に使用されるのが理想である。
従って圧倒的に日時が長い常時使用に都合の良い設計としなければならないが、プール型基礎方式を採用することにより、浮体の深さに応じたプールの深さを適合すれば自由に調整可能である。
【００４０】
図１５は浮体に関する他の実施例で、鋼板で作製した浮体は鉄の酸化による錆は免れないので殆ど経年変化の無いＦＲＰを素材とし、工場内でトラックに積載可能なユニットとして製造し現地で組み立てるものである。
図１５下図の密閉中空構造のユニット浮体（４９）はＷが３メートル以内で、Ｌが１２メートル以内に製作すれば大型トレーラートラックに積載可能であり現地で複数個を連結部材（５０）にて連結して一体の浮体とするものである。
図１５上図に示すようにユニット浮体の連結部に鞘部材（４）を取り付け、連結部材と共用している。
ユニット浮体（４９）は工場内での一貫作業工程により、安価に製作出来て大量に津波危険地域に供給可能である。
【００４１】
図１６に示す実施例は高層ホテルに施工したもので、建築物の平面積の十倍以上の浮体平面積を備え安定性を良くすると共に、建築物の重量を支える浮力を得ている。
プール型の側壁は割愛したが導水路（７）と台座（６）は図のように多数必要で記載した。
台船型浮体は平面積が大で極めて大きな浮力があり、浮体の深さは本図のものより浅い寸法で充分充足すると思われる。
浮体の建築物重量を支える補強と、建築物の底部がアンカーボールト等で浮体と強固に連結されていれば、浮体と基礎の台座は単に置かれているだけであるが、その摩擦力は大で地震の震動にも極めて強い。
【産業上の利用可能性】
【００４２】
本考案は津波災害に対する避難設備であり、近い将来南海地震や東南海地震が発生することが予測されており極めて関心の高いテーマである。
また台風による高潮水害は殆ど毎年各地で発生しており、この高潮水害に対応する手段として本考案は極めて有効である。
技術的に完成した装備を提供することにより建設業界及び造船業界にも産業上大きな利用の可能性がある。
２００４年１２月末のインド洋沿岸地域を襲った大津波は、数時間の内に十数万人の尊い人命を奪い海洋性リゾートを楽しむ人達に大打撃を与えた。
【００４３】
大津波に対する何らかの絶対信頼出来る救難施設が完成するまでは、多くの観光客は海岸リゾートに足を向けなくなるであろう。
本考案はその安全性に対する効果が証明され衆知されることにより、この海洋性リゾート産業と臨海地域に居住する多くの人達に安全な生活を保証する大きな糧となる可能性がある。
また本考案は一般の居住用建築物や大型のホテルに適用し、高潮被害の発生しやすい海岸低地に建築することにより、その効果が証明されれば住宅産業界に大きな利用の可能性がある。
【図面の簡単な説明】
【００４４】
【図１】本考案の浮体（１）と基礎の構造を説明する側面図と平面図。
【図２】同上の浮体と基礎と浸水時のアンカー装置の作用を説明する側面図。
【図３】同上。
【図４】アンカー装置の作用説明図。
【図５】津波終了時の作用説明図。
【図６】浮体に防水ドアを設けた実施例の平面図と正面からの側面図。
【図７】アンカーポールの作用説明のための側断面図。
【図８】プール型基礎を備えた実施例の側面図と平面図。
【図９】浮体の上に居宅建築物を搭載し親水テストをする浮体と基礎の側断面図。
【図１０】同上プールへの給排水時の作用説明の側断面図。
【図１１】プール型基礎に底面に勾配を設けた実施例の側断面図。
【図１２】体育館等に実施した立体図。
【図１３】同上正面からの側断面図。
【図１４】同上浸水時の側断面図。
【図１５】複数のユニット浮体を連結して浮体とする実施例の側断面図と平面図。
【図１６】大型建築物に実施した立体図。
【符号の説明】
【００４５】
１…浮体
２…アンカーポール
３…ポール穴
４…鞘部材
５…船首部  
６…台座    
７…導水路  
８…基礎    
９…ハウジング
１０…昇降路
１１…水面
１２…構築物  
１３…レセプタ
１４…ストッパ  
１５…甲板  
１６…衝撃波
１７…水位Ａ
１８…水位Ｂ
１９…水位Ｃ
２０…アンカー装置
２１…水密ドア
２２…昇降階段
２３…支点
２４…地面
２５…中鞘
２６…先端ポール
２７…プール型基礎
２８…側壁
２９…飲料水タンク
３０…マンホール
３１…簀の子
３２…水槽
３３…ポンプ
３４…四方切替弁
３５…ピット
３６…給排水管
３７…居宅
３８…油圧ジャッキ
３９…架台
４０…開口部
４１…プール
４２…排水ポンプ
４３…排水路
４４…雨水溜
４５…浄化槽
４６…排水溝
４７…フロアレベル
４８…ＧＬレベル
４９…ユニット浮体
５０… 連結部材
【図１】
0003110611.tif 000003
【図２】
0003110611.tif 000004
【図３】
0003110611.tif 000005
【図４】
0003110611.tif 000006
【図５】
0003110611.tif 000007
【図６】
0003110611.tif 000008
【図７】
0003110611.tif 000009
【図８】
0003110611.tif 000010
【図９】
0003110611.tif 000011
【図１０】
0003110611.tif 000012
【図１１】
0003110611.tif 000013
【図１２】
0003110611.tif 000014
【図１３】
0003110611.tif 000015
【図１４】
0003110611.tif 000016
【図１５】
0003110611.tif 000017
【図１６】
0003110611.tif 000018
【手続補正書】
【提出日】平成17年4月4日(2005.4.4)
【手続補正１】
【補正対象書類名】実用新案登録請求の範囲
【補正対象項目名】全文
【補正方法】変更
【補正の内容】
【実用新案登録請求の範囲】
【請求項１】
津波や台風及び河川氾濫等の高潮水難に対し、人身人命及び動産を守る浮体構造の台船型建築物で浮体上に人が居住するように構成し、以下１ないし３の条件を具備したことを特徴とする浮体建築物。
１，浮体と一体的に装備され浮体底部から鉛直下方に突出するアンカーポールと、浮体の空中重量を支えアンカーポールが挿入されるポール穴が穿孔された基礎よりなる。
２．基礎の上へ浮体を載せ置くと共に前記ポール穴に前記アンカーポールを挿入する。
３，浸水状態となった時浮体は浮上するが、アンカーポールとポール穴が接触固定され浮体の流水による流動を阻止するように構成した。
【手続補正２】
【補正対象書類名】明細書
【補正対象項目名】００２０
【補正方法】変更
【補正の内容】
【００２０】
津波や高潮により浸水が始まると、海水は導水路（７）を通り浮体底部全体に水がまわり水位が上昇する。
水位の上昇により浮体（１）には浮力が掛かり浮上上昇するが、アンカーポール（２）が基礎（８）台座（６）のポール穴（３）に挿入されているため、浸水の流速で浮体（１）が流されることはない。
図２に示すように水位の上昇と共に浮体（１）は大きな浮力を受けて、水位Ａ（１７）では下図実線の如く水位Ｂ（１８）では上図点線に示すように、浮体（１）に取り付けられた鞘部材（４）がアンカーポール（２）と摺動スライドしながら浮上する。
【手続補正３】
【補正対象書類名】図面
【補正対象項目名】図８
【補正方法】変更
【補正の内容】
【図８】
0003110611.tif 000019